(57)【特許請求の範囲】
【請求項１】
貯水タンクの上蓋上面の手洗い部の排水孔上に載置され、上方から供給される手洗い水の一部を取り入れ、その水により薬剤を溶出させて排出する、水洗トイレ用薬剤供給具において、
薬剤載置部を有する下部材と、下部材との間に薬剤収容空間を確保して下部材に嵌合した上部材とからなり、
下部材は、中央部に下向きに延びた筒状排出口を有しており、該排出口の長さは、手洗い部の排水孔の長さより長く設定されており、薬剤載置部は、下部材の内面に形成された多数の起立片で構成されており、起立片は、排出口に至る水の流れを制御して排出口に至った水が水平回りの回転力を有するようになるよう配置され且つ形成されており、
下部材と上部材とは周縁部にて嵌合しており、該周縁部には、少なくとも１箇所に、手洗い水取り入れ用の上に開いた間隙が設けられていることを特徴とする水洗トイレ用薬剤供給具。
【発明の詳細な説明】
【０００１】
【発明の属する技術分野】
本発明は、水洗トイレの貯水タンク内の貯水に消臭、殺菌、芳香、洗浄などの薬効を付与するために、貯水タンクの上蓋上面の手洗い部の排水孔上に載置され、上方から供給される手洗い水の一部を取り入れ、その水により薬剤を溶出させて排出する、水洗トイレ用薬剤供給具に関するものである。
【０００２】
【従来の技術】
図１１は従来一般の水洗トイレ用薬剤供給具の斜視図である。この薬剤供給具５は、図１２に示すように、貯水タンク６の上蓋６１の上面の手洗い部６２の排水孔（図示せず）上に載置して用いられ、給水管６３の蛇口６３１から供給される手洗い水の一部を下面に形成した流入口（図示せず）から取り入れ、その水により収納している薬剤を溶出させて排出口（図示せず）から排出するようになっている。排出口からは複数の足体５１が垂下しており、足体５１は手洗い部６２の排水孔に挿し込まれている。
【０００３】
【発明が解決しようとする課題】
上記構成の薬剤供給具５では、次のような不具合があった。
(a) 薬剤を溶出した水が流入口や排出口から手洗い部６２に流出するため、薬剤を溶出した水が色を呈する場合には、薬剤供給具５の周囲に、しばらくの間、色が残り、見た目が悪くなる。
(b) 薬剤を溶出した水は足体５１を伝って手洗い部６２の排水孔を流下するため、その水が排水孔や上蓋６１の下面に付着して広がり、ひどい場合には、上蓋６１とタンク本体６４との合わせ面６１１から滲出してくる。
(c) 特に高さ寸法が大きいために、蛇口６３１との間のスペースが小さいので、手を洗うのに不自由を来たしたり水を飛び散らしたりする。
【０００４】
本発明は、上記不具合を解消できる水洗トイレ用薬剤供給具を提供することを目的とする。
【０００５】
【課題を解決するための手段】
請求項１記載の発明は、貯水タンクの上蓋上面の手洗い部の排水孔上に載置され、上方から供給される手洗い水の一部を取り入れ、その水により薬剤を溶出させて排出する、水洗トイレ用薬剤供給具において、薬剤載置部を有する下部材と、下部材との間に薬剤収容空間を確保して下部材に嵌合した上部材とからなり、下部材は、中央部に下向きに延びた筒状排出口を有しており、該排出口の長さは、手洗い部の排水孔の長さより長く設定されており、薬剤載置部は、下部材の内面に形成された多数の起立片で構成されており、起立片は、排出口に至る水の流れを制御して排出口に至った水が水平回りの回転力を有するようになるよう配置され且つ形成されており、下部材と上部材とは周縁部にて嵌合しており、該周縁部には、少なくとも１箇所に、手洗い水取り入れ用の上に開いた間隙が設けられていることを特徴としている。
【０００８】
【発明の実施の形態】
図１は本発明の水洗トイレ用薬剤供給具の正面図、図２は同じく平面図、図３は同じく底面図である。この薬剤供給具１は、上部材２と下部材３の２つの部材からなっている。下部材３は内部に薬剤載置部を有しており、上部材２は下部材３との間に薬剤収容空間を確保して下部材３に嵌合している。
【０００９】
図４は図１のIV−IV断面部分図、図５は図２のＶ−Ｖ断面部分図である。上部材２は、下に開いた帽子状のものであり、頂点２１から周縁２２に向けてＲを有している。上部材２の周囲には流入部２３が４箇所に設けられている。流入部２３は円周方向等間隔に位置している。流入部２３は、縦方向に延びた多数の溝２３１からなっている。溝２３１は、図５に示すように、上部付近から周縁２２まで延びており、円周方向の側壁２３２と半径方向の側壁２３３とで囲まれており、下端２３４は下部材３の周縁３１より内側に位置し且つ下方に開いている。なお、溝２３１の下端２３４は、下部材３から見れば、上開きの間隙となっている。上部材２は、図６に示すように、流入部２３以外の周縁２２の内向き突部２２１が下部材３の周縁３１の外向き突部３１１に係合することによって、下部材３に嵌合している。
【００１０】
図７は下部材３の平面図、図８は図７のVIII−VIII断面図である。下部材３は、上に開いた皿状の本体３２と本体３２の中央から垂下した筒状の排出口３３とからなっている。本体３２の内面には多数の起立片３２１が形成されており、薬剤載置部はこれらの起立片３２１により構成されている。即ち、薬剤１０は、図８に一点鎖線で示すように、一般に円柱状のものであり、これらの起立片３２１の上に載置される。これらの起立片３２１は、周辺から排出口３３に向かって、同じ側に湾曲した円弧状に延びて形成されている。即ち、起立片３２１は、平面視で排出口３３を中心として渦巻状となるよう配置され且つ形成されている。本体３２の外面には、６個の支持片３２２が形成されている。支持片３２２は、薬剤供給具１を手洗い部６２の排水孔上に浮かせて支持するようになっている。排出口３３は本体３２の中央に通じている。なお、図８では起立片の図示を省略している。
【００１１】
上記構成の薬剤供給具５は、図９に示すように、貯水タンク６の上蓋６１の上面の手洗い部６２に、排出口３３を排水孔６５に挿し込んだ状態で載置される。
【００１２】
上記構成の薬剤供給具５は、図９に示すような寸法を有している。以下、列挙する。
【００１３】
▲１▼手洗い部６２に載置した状態での高さ寸法をＨとし、蛇口６３１の下端６３１１から手洗い部６２の盛上り部６２１の上端６２１１までの距離をＤ１とし、蛇口６３１の下端６３１１から上部材２の頂点２１までの距離をＤ２とした場合において、Ｈは、Ｄ２が常にＤ１以上となる値に設定されている。具体的には、種々の貯水タンクの手洗い部を実寸調査したところ、Ｄ１の最小値は１１ｃｍであったので、Ｈは３７ｍｍ以下に設定する。
【００１４】
▲２▼上部材２及び下部材３における最大半径寸法をＲ１とし、排水孔６５の中心から手洗い部６２の盛上り部６２１の内端６２１２までの距離をＤ３とした場合において、Ｒ１はＤ３以下の値に設定されている。具体的には、種々の貯水タンクの手洗い部を実寸調査したところ、Ｄ３の最小値は３．３ｃｍであったので、Ｒ１は３３ｍｍ以下に設定する。
【００１５】
▲３▼排出口３３の長さをＬ１とし、手洗い部６２の排水孔６５の長さをＬ２とした場合において、Ｌ１は、Ｌ２より大きい値に設定されている。具体的には、Ｌ２は一般に約１２ｍｍであるので、Ｌ１は充分に長い３０ｍｍに設定する。
【００１６】
▲４▼手洗い部６２の排水孔６５の開口面積（横断面積）をＳ１とし、下部材３の排出口３３の開口面積（横断面積）をＳ２とし、蛇口６３１から供給される手洗い水の全量をＶ１とし、４個の流入部２３から取り入れられる水の全量をＶ２とした場合において、Ｓ２／Ｓ１は、Ｖ２／Ｖ１と略等しい値に設定されている。
【００１７】
次に、上記構成の薬剤供給具１の作動について説明する。
図９において、蛇口６３１から手洗い水が供給されると、手洗いが行われるとともに、手洗い水が上部材２上に落下してその表面を流下し、その一部が流入部２３へ至る。流入部２３へ流れて来た手洗い水は、図５に示すように、溝２３１を通って下部材３内部に流入する。なお、下部材３内部に流入しなかった水は、手洗い部６２に落下し、排水孔６５を通ってタンク本体６４内へ供給される。下部材３内部に流入した水は、図７に示すように、起立片３２１の間を流れて排出口３３に至る。このとき、起立片３２１の間を流れる水は、起立片３２１上に載置されている薬剤に接触し、薬剤を溶出させる。これにより、薬剤が溶出した水が、排出口３３からタンク本体６４内へ供給される。
【００１８】
上記構成の薬剤供給具１では、下部材３から見て上開きの間隙となっている溝２３１の下端２３４（図５）から水が流入し、排出口３３に向けて流れ、排出口３３から排出される。このとき、排出口３３へ向かう水の流れは、起立片３２１が平面視で排出口３３を中心として渦巻状となるよう配置され且つ形成されているので、排出口３３へ至った時に水平回りの回転力を有するようになる。そのため、水は排出口３３内を回転しながら流下していき、排出口３３からの水の排出は円滑に行われることとなり、水の滞留は生じない。従って、薬剤供給具１内における水の流れは不可逆的となり、流入して薬剤を溶出した水が手洗い部６２に流出することはない。それ故、薬剤を溶出した水が色を呈する場合でも、手洗い部６２に色が残ることはなく、色が残ることによる見た目の悪化が防止される。
【００１９】
なお、上記▲４▼に示すように、Ｓ２／Ｓ１がＶ２／Ｖ１と略等しい値に設定されているので、排水孔６５からの水の排出及び排出口３３からの水の排出は、確実に、共に滞留を生じさせることなく円滑に行われる。
【００２０】
また、排出口３３の長さＬ１が排水孔６５の長さＬ２より大きいので、排出口３３から排出される水が排水孔６５や上蓋６１の下面に付着することはない。従って、上蓋６１とタンク本体６４との合わせ面６１１から、薬剤を溶出した水が滲出してくることはない。
【００２１】
更に、上記▲１▼及び▲２▼に示すように、寸法Ｈ，Ｒ１を設定しているので、薬剤供給具１と蛇口６３１との間には、手洗いのための充分なスペースが確保される。従って、手を洗うのに不自由を来たしたり水を飛び散らしたりするのが防止される。
【００２２】
なお、流入部２３を、多数の縦方向の溝２３１で構成しているが、図２に相当する図１０に示すように、周縁２２に沿った単なる間隙２３５で構成してもよい。
【００２３】
また、起立片３２１は、排出口３３へ向かう水の流れを排出口３３へ至った水が水平回りの回転力を有するように制御するものであれば、図７に示すような渦巻状に限るものではなく、放射状であってもよい。即ち、例えば、平面視直線状の多数の起立片３２１を排出口３３の中心から少しずれた位置に向けて配置してもよい。
【００２４】
【発明の効果】
請求項１記載の発明によれば、手洗い水取り入れ用の間隙から取り入れられた水は不可逆的に流れて排出口から排出されるので、薬剤を溶出した水が手洗い部に流出するのを防止できる。従って、薬剤を溶出した水が色を呈する場合であっても、手洗い部に色が残るのを防止でき、外観の悪化を防止できる。
【００２５】
しかも、排出口の長さが手洗い部の排水孔の長さより長いので、排出口から排出される水が排水孔や貯水タンクの上蓋の下面に付着するのを防止できる。従って、薬剤を溶出した水が上蓋とタンク本体との合わせ面から外部に滲出してくるのを防止できる。
【図面の簡単な説明】
【図１】  本発明の水洗トイレ用薬剤供給具の正面図である。
【図２】  本発明の水洗トイレ用薬剤供給具の平面図である。
【図３】  本発明の水洗トイレ用薬剤供給具の底面図である。
【図４】  図１のIV−IV断面部分図である。
【図５】  図２のＶ−Ｖ断面部分図である。
【図６】  本発明の水洗トイレ用薬剤供給具の一部縦断面略図である。
【図７】  下部材の平面図である。
【図８】  図７のVIII−VIII断面図である。
【図９】  本発明の水洗トイレ用薬剤供給具を手洗い部に載置した状態を示す一部縦断面略図である。
【図１０】  流入部の別の例を示す平面図である。
【図１１】  従来の水洗トイレ用薬剤供給具の斜視図である。
【図１２】  従来の水洗トイレ用薬剤供給具を手洗い部に載置した状態を示す斜視図である。
【符号の説明】
１  薬剤供給具
１０  薬剤
２  上部材
２１  頂点
２２  周縁
２３  流入部
２３１  溝
２３５  間隙
３  下部材
３１  周縁
３２１  起立片
３３  排出口
６  貯水タンク
６１  上蓋
６２  手洗い部
６３１  蛇口
【図１】
0004262364.tif 000002
【図２】
0004262364.tif 000003
【図３】
0004262364.tif 000004
【図４】
0004262364.tif 000005
【図５】
0004262364.tif 000006
【図６】
0004262364.tif 000007
【図７】
0004262364.tif 000008
【図８】
0004262364.tif 000009
【図９】
0004262364.tif 000010
【図１０】
0004262364.tif 000011
【図１１】
0004262364.tif 000012
【図１２】
0004262364.tif 000013